(57)【特許請求の範囲】
【請求項１】
取付け軸と、この取付け軸に回転自在に嵌装され前記取付け軸の軸方向に沿って複数個が並設されるフィン部材とからなり、
前記フィン部材は、前記取付け軸に遊挿され隣接のフィン部材を一定間隔に保持するスペーサ筒と、このスペーサ筒の外周面から径方向へ一体に張り出す薄板のプレート部とからなるとともに、
前記取付け軸の軸端に配されたフィン部材は、そのスペーサ筒にて取付け手段を介して前記取付け軸に固定され、かつこの軸端のフィン部材における前記プレート部の外面には位置決め用のリブが対をなして突出形成され、この対をなすリブの間に防鳥具装着面に固定されたブラケットが幅方向から挟み込まれて取付けがなされていることを特徴とする防鳥具。
【請求項２】
前記プレート部には、外周縁から中心に向けて歪み取りのためのスリットが形成されていることを特徴とする請求項１記載の防鳥具。
【発明の詳細な説明】
【０００１】
【発明の属する技術分野】
この発明は、防鳥具に関するものである。
【０００２】
【従来の技術】
例えば、高速道路の高架にはメンテナンスなどのためにキャットウォークと呼ばれる作業者用の通路が形成されているが、この部分に鳩等の鳥類が停留して糞害を引き起こすことが問題となっている。従来、これを防止するために手すりの周りに有刺鉄線を巻いて鳥類が留まれないようにしていた。
【０００３】
【発明が解決しようとする課題】
しかしながら、有刺鉄線を巻き付ける方法では、人が怪我をしてしまう虞があり、必ずしも適切な策とは言えない。
本発明は、上記事情に鑑みてなされたものであり、その目的は、取付けの作業性に優れ、かつ鳥類の停留防止に有効な防鳥具を提供することである。
【０００４】
【課題を解決するための手段】
上記の目的を達成するための請求項１の発明は、取付け軸と、この取付け軸に回転自在に嵌装され前記取付け軸の軸方向に沿って複数個が並設されるフィン部材とからなり、前記フィン部材は、前記取付け軸に遊挿され隣接のフィン部材を一定間隔に保持するスペーサ筒と、このスペーサ筒の外周面から径方向へ一体に張り出す薄板のプレート部とからなるとともに、前記取付け軸の軸端に配されたフィン部材は、そのスペーサ筒にて取付け手段を介して前記取付け軸に固定され、かつこの軸端のフィン部材における前記プレート部の外面には位置決め用のリブが対をなして突出形成され、この対をなすリブの間に防鳥具装着面に固定されたブラケットが幅方向から挟み込まれて取付けがなされていることを特徴とする。
また、請求項２の発明は、請求項１記載のものにおいて、前記プレート部には、外周縁から中心に向けて歪み取りのためのスリットが形成されていることを特徴とするものである。
【０００５】
【発明の作用および効果】
請求項１の発明によれば、プレート部に鳥が留まろうとすると、スペーサ筒に回転のモーメントを生じてフィン部材全体が回転してしまうため、留まることができない。また、取付け軸に対して複数のフィン部材が装着されるが、これらはフィン部材に一体に備えられたスペーサ筒によって片寄ることなく一定間隔を保った状態で取付け軸に装着されるため、鳥の留まるスペースを与えない。さらに、フィン部材にはスペーサ筒が一体に設けられているため、取付け軸に対する装着作業性にも優れる。
また、取付け軸の軸端に位置するフィン部材については、そのスペーサ筒を利用して取付け手段によって取付け軸に対する固定を行うことができる。
さらに、取付け軸の軸端に配されたフィン部材は、プレート部に設けた位置決め部がブラケットに対して回り止めされた状態で係止するため、ブラケットに対する取付けが確実なものとなる。
請求項２の発明によれば、プレート部はスリットが設けられていることによって成形時、さらには経時的な変形から保護される。
【０００６】
【発明の実施の形態】
以下、本発明の実施の形態を図面に基づいて説明する。本実施形態の防鳥具は、取付け軸１とこの取付け軸１に嵌装された多数のフィン部材２と、装着面３への取付けのためのブラケット４を一体にした防鳥具ユニットＵとして構成されている。
【０００７】
取付け軸１は、本実施形態では長尺の塩化ビニル製のパイプが使用された。この取付け軸１には合成樹脂材よりなるフィン部材２が多数個嵌め込まれる。
フィン部材２は薄板の円盤状に形成され、その中心部には取付け軸１を遊挿可能なスペーサ筒５が形成されている。これにより、フィン部材２全体は取付け軸１に対し回転自在となるとともに、隣接するフィン部材２同士を一定間隔に保持する。また、スペーサ筒５の外周面において、軸方向のほぼ中間部には全周に沿って薄板円盤状のプレート部６が同心でかつ一体に張り出している。プレート部６には図示３条のスリット７が等角度間隔で放射状に形成されている。各スリット７はスペーサ筒５の外周面からプレート部６の外周縁に至る範囲にわたって形成され、成形時の歪みとりあるいは経時的な変形を吸収する役割を果たす。
【０００８】
また、プレート部６の表裏両面において、上記各スリット７に挟まれる位置には、各一対ずつの位置決めリブ８がスペーサ筒５の外周面から放射状に形成されている。各位置決めリブ８の間隔はブラケット４の幅寸法とほぼ等しくしてあり、ブラケット４の先端部を挟み込んで幅方向への位置決めを行う。また、プレート部６において各位置決めリブ８に挟まれた部分には、それぞれ二条の長孔９ａ，９ｂが位置決めリブ８と平行に延びている。一方の長孔９ａは位置決めリブ８間に配された閉じた長孔となっているが、他方の長孔９ｂは位置決めリブ８よりも外周側において一端がプレート部６の外周縁に開放して形成されている。これら長孔９ａ，９ｂはブラケット４に対する取付けのためのビスｂ１，ｂ２を締め込むためのものであり、長孔９ａ，９ｂが形成されている範囲内においてフィン部材２の取付け高さが調整可能となる。また、この実施形態では両長孔９ａ，９ｂのうち閉じた長孔９ａはフィン部材２の放射軸上に沿って延びているが、一端が開放する側の長孔９ｂは平行にずれた位置に配されている。これによって、フィン部材２に回転モーメントが作用した場合にこれに有効に抗することができる。
【０００９】
次に、上記のように構成された本実施形態の作用効果を具体的に説明する。防鳥具ユニットＵを組み立てる場合には、取付け軸１の端部よりスペーサ筒５を通してゆくことにより、順次各フィン部材２を嵌め付けてゆく。そして、各フィン部材２のうち取付け軸１の軸端に位置する両フィン部材２については、それらのスペーサ筒５に対して外周面側から取付け軸１に対し径方向より締め付けねじ１０がねじ込まれている。これによって、取付け軸１の両端に位置するフィン部材２は取付け軸１に対し固定されているが、他の全てのフィン部材２はスペーサ筒５が取付け軸１に対し遊挿されていることから、回転自在となっている。
【００１０】
取付け軸１に固定された両フィン部材２の外面には、さらにＬ型ブラケット４の取付けがなされる。このブラケット４の取付けにあたり、ブラケット４の先端部は位置決めリブ８間に嵌め入れられ、その状態で両長孔９ａ，９ｂを介してブラケット４にビスｂ１，ｂ２が締め込まれる。このとき、前述したように、締め付けねじは双方の長孔９ａ，９ｂ（一端が開放している側のもの）がずれて配置されていることから、回転モーメントが作用した場合にも有効に抗することができる。
【００１１】
かくして、組み立てられた防鳥具ユニットＵは所望とする装着面３に対し、両ブラケット４を当て、ボルト等によって締め込んでやれば防鳥具の固定がなされる。鳥類がフィン部材２（両端のものを除く）に留まろうとしてプレート部６に脚をかけると、その体重が正確に取付け軸１に鉛直方向から作用することは極めて希であるから、回転モーメントを生じてフィン部材２全体が回転するため、鳥類はフィン部材２上に留まることはできない。仮に、両端のフィン部材２に留まろうとしても、プレート部６が薄肉に形成されているため、安定した姿勢では留まるのは困難である。したがって、長時間留まることもなく、その分、糞をされてしまう機会も少なくなる。さらに、各フィン部材２同士の間隔はスペーサ筒５によって一定間隔に保持されており、これらの間に容易に脚を進入させることはできない寸法であるため、フィン部材２間に留まることもできない。これらのことによって、防鳥具ユニットＵが施工された箇所では鳥類の停留が確実に回避できるため、糞公害の問題が解消される。さらにまた、本実施形態の防鳥具ではユニットＵの組立てにあたり、フィン部材２を順次嵌め込んでゆくだけでよく、かつスペーサ筒５によって一定間隔が保持されるため、ユニットＵを傾けても片寄せ状態となることがなく、組立て作業がしやすい。さらに、スペーサ筒５は端部に位置するフィン部材２にとっては、取付け軸１に対する固定のための部材として機能するため、フィン部材２は固定用及び可動用といったように別個に用意する必要はなく、共通した仕様のものを使うことができる。
【００１２】
図５及び図６は防鳥具ユニットＵの装着面３がＨ型鋼１１である場合の取付け方法を示すものである。この場合には、図６に示すような止めねじ１２を有した金属製のクランプ部材１３が使用される。クランプ部材１３は上下にクランプ片１３ａ、１３ｂをもつ略コの字形状をなしており、その両側縁はその全縁が内向きに屈曲して形成されている。一方のクランプ片１３ａには屈曲した両側縁部分に複数の係止歯１４が刻設され、Ｈ型鋼１１に対して引掛かり易くしている。
【００１３】
防鳥具ユニットＵは上記と同様の構成のものがＨ型鋼１１の上面に長手方向に沿って配され、そのもとで両クランプ片１３ａ，１３ｂにてブラケット４と共にＨ型鋼１１の上辺部を挟み付け、止めねじ１２の締め込みによって固定がなされる。
【００１４】
図７は防鳥具ユニットＵの装着面３が丸パイプ１６である場合の取付け方法を示すものである。この場合には、樹脂あるいは金属製の可撓性バンド１５が使用される。可撓性バンド１５は電気コード類を束ねるために通常使用されている公知のものが使用可能である。詳細には図示されないため、簡単に構造を説明すると、可撓性バンド１５の一面には長さ方向に沿って多数の鋸歯状の突条が刻設されている。可撓性バンド１５にて、防鳥具のブラケット４を丸パイプ１６ごと緊締する場合には、可撓性バンド１５の一端側を他端側に開口した窓孔に通し、絞り上げた状態で窓孔部分に形成された爪部を突条に係止させることで戻り止めを行えば、可撓性バンドが緊締状態に保持される。
【００１５】
その他、防鳥具ユニットＵを装着面３に対して取り付けるための方法は種々の変更が考えられ、ここに開示したものに限らない。さらに、本発明は種々の変更が可能であり、例えば、本実施形態ではプレート部６を円盤状に形成したものを示したが、角形、星形等であってもよくその形状は限定されるものではない。
【図面の簡単な説明】
【図１】防鳥具ユニットを装着面に取り付けた状態を示す斜視図
【図２】フィン部材を示す正面図
【図３】同じく側面図
【図４】防鳥具ユニットの取付け状態を示す側断面図
【図５】Ｈ型鋼への取付け状況を示す断面図
【図６】Ｈ型鋼に対する取付け具を示す斜視図
【図７】丸パイプへの取付け状況を示す断面図
【符号の説明】
１…取付け軸
２…フィン部材
３…装着面
４…ブラケット
５…スペーサ筒
６…プレート部
７…スリット
８…位置決め用リブ
Ｕ…防鳥具ユニット
【図１】
0003665721.tif 000002
【図２】
0003665721.tif 000003
【図３】
0003665721.tif 000004
【図４】
0003665721.tif 000005
【図５】
0003665721.tif 000006
【図６】
0003665721.tif 000007
【図７】
0003665721.tif 000008